(57)【要約】【課題】広大な農地や森林の放射能を低減を極めて低コストで行うことができ、しかも短時間で行うことのできる放射能除染剤およびその製造方法を提供する。【解決手段】放射能で汚染された土地や物品の放射能除染剤であって、光合成細菌にバチルス菌を所定の割合で混合する構成とした。【選択図】図１
2014032167.tif 000002
【特許請求の範囲】
【請求項１】
放射能で汚染された土地や物品の放射能を除染する放射能除染剤であって、光合成菌にバチルス菌を所定の割合で混合したことを特徴する放射能除染剤。
【請求項２】
前記光合成菌は、嫌気性であることを特徴とする請求項１に記載の放射能除染剤。
【請求項３】
前記バチルス菌は、好気性であることを特徴とする請求項１に記載の放射能除染剤。
【請求項４】
光合成菌の元菌を所定温度で空気遮断状態で所定期間培養し、バチルス菌の元菌を所定温度で空気流通状態で所定期間培養し、
前記光合成菌と前記バチルス菌所定割合で混合し、攪拌したことを特徴とする放射能除染剤の製造方法。
【請求項５】
前記光合成菌に対する前記バチルス菌の割合は３０％乃至７０％とし、好ましくは５０％としたことを特徴とする請求項４に記載の放射能除染剤の製造方法。
【発明の詳細な説明】
【発明の詳細な説明】
【技術分野】
【０００１】  本発明は、放射能物質に汚染された場所を除染する放射能除染剤およびその製造方法に係り、特に光合成菌とバチルス菌を使用した放射能除染剤およびその製造方法に関する。
【背景技術】
【０００２】  ２０１１年３月１１日に発生した東日本大地震により引き起こされた福島の原子力発電所の事故は、広範囲に放射性物質を撒き散らし、深刻な放射能汚染の問題を発生させている。一般に原子力発電は、ウラン２３５を核分裂させて発生する熱エネルギーを発電に使用するものであるが、この核分裂により放射性物質が発生する。この放射性物質は、ヨウ素１３１やセシウム１３７、ストロンチュウム９０などであるが、これらの放射性物質の中で特に問題となるのは、放射能レベルが高く半減期が比較的長い（約３０年）セシュウム１３７である。従って、このセシウム１３７の放射能レベルを下げることが、放射能汚染対策のポイントになっていた。【０００３】  従来、こうした放射能汚染に対しては、これらの放射能を低減するために、化科学的な方法を施すもの（例えば特許文献１）や光ビームを利用するもの（例えば特許文献２）があった。しかしながら、特許文献１や特許文献２における方法は、原子力発電所内や実験室内等のように、極めて限定されしかも密閉された空間において実施できるものであり、今回の原発事故で発生した森林や農地のような広大な土壌に対しては、適用できるものではなかった。【０００４】  そこで、このオープン状態の森林や土地に対しては、現実的な方法として、物理的に汚染された表土を剥ぎ取り、粘土粒子にセシウムイオンを絡ませて濃縮されたセシウム１３７を分離して保管する方法や、濃硫酸や濃塩酸を汚染土壌に添加して加熱しセシウム１３７を抽出する減容化方法があった。
【先行技術文献】
【特許文献】
【０００５】
【特許文献１】特開２００６−８２２２５号公報
【特許文献２】特開２０００−１９０１３６号公報
【発明の概要】
【発明が解決しようとする課題】
【０００６】  しかしながら、これらの方法は、汚染土壌の一次的除染であり、根本的な解決にはならならず、この一次的除染した土壌を集積する場所が問題になると共に最終の処理をどうするかということも問題となっていた。また、広大な土壌を処理するためには莫大なコストがかかるという問題があり、学校のグランドのような限定的な場所を除き事実上不可能に近いものであった。さらに、今回の福島の原発事故では、農地や生活圏土壌以上に広大な面積の森林が放射能汚染されており、日本の安全な水の水源涵養である森林除染については、全く手が付かないという重大な問題もあった。【０００７】  本発明は上述した従来の問題点を鑑みなされたものであり、広大な農地や森林の放射能低減を極めて低コストで行うことができ、しかも短時間で行うことのできる放射能除染剤およびその製造方法を提供するものである。
【課題を解決するための手段】
【０００８】  上記課題を解決するため、本発明に係る放射能除剤は、放射能で汚染された土地や物品の放射能を除染する放射能除染剤であって、光合成菌にバチルス菌を所定の割合で混合したことを特徴するものである。【０００９】  また、前記光合成菌は、嫌気性であることを特徴としている。【００１０】  また、前記バチルス菌は、好気性であることを特徴としている。【００１１】  また、光合成菌の元菌を所定温度で空気遮断状態で所定期間培養し、バチルス菌の元菌を所定温度で空気流通状態で所定期間培養し、前記光合成菌と前記バチルス菌所定割合で混合し、攪拌したことを特徴としている。【００１２】  前記光合成菌に対する前記バチルス菌の割合は３０％乃至７０％とし、好ましくは５０％としたことを特徴とするものである。
【発明の効果】
【００１３】  本発明によれば、土壌や森林など散布された光合成菌とバチルス菌が放射性物質を体内に吸収して、放射線を出さない物質に変えるので、土壌や森林の放射能レベルを下げ安全な環境を実現できるものである。
【図面の簡単な説明】
【００１４】
【図１】本発明に係る放射能除染剤の製造工程を示すブロック図である。
【図２】本発明に係る放射能除染剤により放射能除染を実施した結果を示すグラフである。
【発明を実施するための形態】
【００１５】  以下、本発明における放射能除染剤を詳細に説明する。本発明における放射能除染剤の特徴は、放射能を低減する物質として、光合成菌とバチスタ菌を主成分とする放射能除染剤を使用することである。また、光合成菌は、原始地球の時代に発生したものである。この光合成菌は、当時の地球に存在した水と二酸化炭素を原料に、太陽からの光と宇宙からの放射線をエネルギーに成長したものである。即ち、光合成菌はこの過程において、セシウム１３７などの放射能物質を体内に取り込み、この放射能物質の出す放射線を成育のエネルギーとするものである。従って、この光合成菌に取り込まれた放射能物質は、放射線がエネルギーとして吸収されるので、放射線の出さない安定的な物質に変化するものと考えられる。本願出願人はこの作用に着目し、現在、緊急の課題となっている放射能除染を行うものである。
【００１６】  また、本発明の放射能除染方法に使用する放射能除染剤は、光合成菌の中でも紅色非硫黄細菌を使用するものである。この紅色非硫黄細菌は、赤色ないし褐色を呈しており、嫌気性を示すもので、硫黄泉や停滞水によく見られるものである。
【００１７】  この紅色非硫黄細菌は、他の光合成菌の中でも特に放射性物質を体内に取り込む性質が強いので、本発明の放射能除染方法において、この紅色非硫黄細菌を使用するものである。
【００１８】  また、光合成菌と共に用いるバチルス菌の働きは、光合成菌の周囲を取り囲むことにより、自然環境に散布された嫌気性の光合成菌と空気が直接触れ合うことを避け、光合成菌の繁殖作用を助けるものである。そして、好気性のバチルス菌は空気と直接触れるので、繁殖するものである。
【００１９】  次に、この放射能除染剤の製造方法を説明する。図１に示すように、まず、光合成菌の元菌を密閉された培養タンクに入れる。この培養タンクは光合成菌が繁殖し易いように、光透過性のＦＲＰ（繊維強化プラスチック）などが適している。そして、この培養タンクには、障害となる雑菌が繁殖しないように、予め滅菌された液体培地を８０〜９０パーセント入れておく。この液体培地は、アミノ酸を主体とする乳酸菌や酵母菌などの有用微生物使用する光合成菌で異なるが、紅色非硫黄細菌の場合は、アミノ酸を主体とする乳酸菌や酵母菌などの有用微生物が効果的である。そして、この培養タンクを所定温度（３５〜３７℃）で、所定期間（約一カ月）培養するものである。
【００２０】  一方、バチルス菌は、まず、元菌を培養タンクに入れる。この培養タンクはバチルスが繁殖し易いように、雑菌を防止するフィルタを通して空気を吹き込める構造にしている。そして、この培養タンクには、障害となる雑菌が繁殖しないように、予め滅菌された液体培地を８０〜９０パーセント入れておく。そして、この培養タンクを所定温度（３５〜３７℃）で、所定期間（約一カ月）培養するものである。
【００２１】  このようにして培養された光合成菌とバチルス菌は、混合タンクに入れて撹拌を行う。この光合成菌に対するバチルス菌の混合の割合は、３０〜７０パーセントで行うが、５０％にするのが最も効果的である。このようにして生成された放射能除染剤は、人畜に無害であり、植物には有用であるので、この放射能除染剤の取り扱いは危険性が全くないものである。
【００２２】  また、この放射能除染剤を原液または希釈したものを、散布手段を用いて目的する土地や物などに散布するものである。散布手段としては、狭い土地や物品などには手軽なジョーロなどを使用してもよいし、広大な農地や森林などには動力噴霧機やヘリコプタなどを使用すれば、効率的に散布できる。
【００２３】  この放射能除染剤を散布した土壌の放射線を測定した結果は、図２に示すように、当初８μＳＶ（マイクロシーベルト）／Ｈを示していた放射線レベルは約２週間後には２μＳＶ／Ｈとなり、大幅に改善されていることが実証されたものである。
【００２４】  このように、本発明による放射能除染剤では、広大な農地や森林などの土地の放射能を低減を極めて低コストで行うことができ、しかも短時間で行うことができるものである。
【図１】
2014032167.tif 000003
【図２】
2014032167.tif 000004